(57)【特許請求の範囲】
【請求項１】
基材上に、コード情報を設けてなる情報印刷物であって、前記基材上に第１のコード情報を設け、少なくとも前記第１のコード情報の一部を覆い隠すようにスクラッチオフ隠蔽層を形成してなり、前記スクラッチオフ隠蔽層上に第２のコード情報を設けてなり、
前記第２のコード情報が、可視光領域では不可視であり、紫外光領域または赤外光領域の光を吸収するインキからなることを特徴とする情報印刷物。
【請求項２】
前記スクラッチオフ隠蔽層が、前記基材の色相と同色であることを特徴とする請求項１に記載の情報印刷物。
【請求項３】
前記スクラッチオフ隠蔽層上に、前記基材の色相と同色の隠蔽補助層を設けたことを特徴とする請求項１または２に記載の情報印刷物。
【請求項４】
請求項１から３のいずれかに記載の情報印刷物を用いたコード情報読取方法において、読取装置にて前記第２のコード情報を読取るステップと、前記スクラッチオフ隠蔽層を除去するステップと、読取装置にて前記第１のコード情報を読取るステップとからなることを特徴とするコード情報読取方法。
【請求項５】
基材上に、コード情報を設けてなる情報印刷物であって、前記基材上に第１のコード情報を設け、少なくとも前記第１のコード情報の一部を覆い隠すようにスクラッチオフ隠蔽層を形成してなり、前記スクラッチオフ隠蔽層上に第２のコード情報を設けたことを特徴とする情報印刷物を用いた認証方法であって、
読取装置にて前記第２のコード情報を読取るステップと、前記スクラッチオフ隠蔽層を除去するステップと、読取装置にて前記第１のコード情報を読取るステップとを有し、前記第２のコード情報と前記第１のコード情報とを用いて認証することを特徴とする認証方法。
【発明の詳細な説明】
【技術分野】
【０００１】
本発明は、カード類ならびに証書関連の認証媒体、抽選くじやチケット類といった認証を要する媒体に関するものであり、シート基材上に隠蔽された秘密情報を有しており、必要な時に隠蔽を取り除き、秘密情報を得ることができるスクラッチオフ技術を応用した認証媒体及びその認証方法に関する。
【背景技術】
【０００２】
ＩＤなどの個人認証媒体ならびに証書関連の認証媒体の領域では、ＩＣチップを内蔵した認証技術などが普及し、抽選くじやチケット類といった認証を要する媒体分野においては個別番号を付与したナンバリング技術やその管理手法による認証手段が主に用いられている。しかし、より簡便かつ低コストでの認証を目指して、所謂バーコードやＱＲコード（登録商標）などに代表される二次元コードなどを媒体上に設け、認証を実施しようとする試みも、従来から検討されている。
【０００３】
例えば、特許文献１や特許文献２に見られるように、ＩＤカードなどの分野においても、顔画像の画像データや指紋データなどを圧縮して、二次元コード化し、顔写真画像と共にカード上に設けるなどの手法が従来から検討されている。
【０００４】
一方、インターネットによる情報提供の一般化に伴い、企業が自社の商品情報や関連情報などといったものをＷｅｂページを通じて消費者に向けて情報提供している。この際、カタログ上や商品そのものに、ＷｅｂページのＵＲＬを特許文献３に示すようなＱＲコード（登録商標）などで表記し、これを読取ることにより、消費者を簡便にそのＷｅｂページに導こうとする手法なども、特許文献４などで提案されている。
【０００５】
これらの手法においては、カメラ付き携帯端末の普及も大きな牽引となっている。
すなわち、携帯端末に二次元コードの読取ソフトを導入することにより、携帯端末の有する通信機能によって、簡単にインターネットに接続することが可能となり、Ｗｅｂ情報へのアクセス・閲覧が容易となったためである。
【０００６】
しかしながら、二次元コードを認証用の情報媒体として用いようとする場合、二次元コード自体には何らセキュリティ性はなく、カメラによる撮影やコピー機等により、簡単に複製を作ることが可能である。このため、二次元コードの活用方法が限定されていた。
【先行技術文献】
【特許文献】
【０００７】
【特許文献１】特開平８−１２９６３４号公報
【特許文献２】特開平１１−２７２８１６号公報
【特許文献３】特開平７−２５４０３７号公報
【特許文献４】特開２０００−２９３４５５号公報
【発明の概要】
【発明が解決しようとする課題】
【０００８】
本発明は、二次元コードとその読取技術が有する簡便な情報授受性を維持しつつ、カメラやコピー機等による不正コピーによって、不正に認証を実行しようとすることや、不正に個人情報を入手しようとすることを防止しようとするものである。
【課題を解決するための手段】
【０００９】
本発明はこれらの課題を解決すべくなされたものである。
すなわち、請求項１に記載の発明は、基材上に、コード情報を設けてなる情報印刷物であって、前記基材上に第１のコード情報を設け、少なくとも前記第１のコード情報の一部を覆い隠すようにスクラッチオフ隠蔽層を形成してなり、前記スクラッチオフ隠蔽層上に第２のコード情報を設けてなり、前記第２のコード情報が、可視光領域では不可視であり、紫外光領域または赤外光領域の光を吸収するインキからなることを特徴とする情報印刷物である。
【００１０】
次に、請求項２に記載の発明は、前記スクラッチオフ隠蔽層が、前記基材の色相と同色であることを特徴とする請求項１に記載の情報印刷物である。
【００１１】
請求項３に記載の発明は、前記スクラッチオフ隠蔽層上に、前記基材の色相と同色の隠蔽補助層を設けたことを特徴とする請求項１または２に記載の情報印刷物である。
【００１２】
請求項４に記載の発明は、請求項１から３のいずれかに記載の情報印刷物を用いたコード情報読取方法において、読取装置にて前記第２のコード情報を読取るステップと、前記スクラッチオフ隠蔽層を除去するステップと、読取装置にて前記第１のコード情報を読取るステップとからなることを特徴とするコード情報読取方法である。
【００１３】
請求項５に記載の発明は、基材上に、コード情報を設けてなる情報印刷物であって、前記基材上に第１のコード情報を設け、少なくとも前記第１のコード情報の一部を覆い隠すようにスクラッチオフ隠蔽層を形成してなり、前記スクラッチオフ隠蔽層上に第２のコード情報を設けたことを特徴とする情報印刷物を用いた認証方法であって、
読取装置にて前記第２のコード情報を読取るステップと、前記スクラッチオフ隠蔽層を除去するステップと、読取装置にて前記第１のコード情報を読取るステップとを有し、前記第２のコード情報と前記第１のコード情報とを用いて認証することを特徴とする認証方法である。
【発明の効果】
【００１５】
本発明によれば、二次元コードを用いた認証方法において、カメラなどによってコード情報を撮影されてしまった場合や、コピー機等によって不正にコード情報を複製されてしまった場合であっても、不正使用することのできない情報印刷物を提供することができる。
【図面の簡単な説明】
【００１６】
【図１】本発明の一態様に係わる情報印刷物を概略的に示す平面図である。        （Ａ）第２のコード情報を有する情報印刷物の例である。                        （Ｂ）スクラッチオフ隠蔽層を除去した後の情報印刷物の例である。
【図２】本発明の一態様に係わる情報印刷物の構成を概略的に示す断面図である。
【図３】本発明の一態様に係わる運用例を示す概念図である。
【図４】本発明の認証方法の１例を示すフロー図である。
【図５】本発明の認証方法の１例を示すフロー図である。
【発明を実施するための形態】
【００１７】
以下では、本発明の実施形態について図面を参照しながら説明する。なお、各図において、同様又は類似した機能を発揮する校正要素には同一の参照符号を付し、重複する説明は省略する。
【００１８】
図１は本発明の一態様に係わる情報印刷物を概略的に示す平面図である。ここで、（Ａ）は、第２のコード情報１０３を有する情報印刷物１００の例を示しているが、コードの形式としては、ＱＲコード（登録商標）に代表される二次元コードを使用することができる。これは、二次元コードが、一次元バーコードに比べて、そのデータ密度が格段に高く、用途に応じて扱う情報の自由度が増すためである。
【００１９】
二次元コードは、ＱＲコード（登録商標）以外にも使用することが可能であり、例えば、マトリックス式コードとしてＳＰコード、ベリコード、マキシコード、ＣＰコード、ＤａｔａＭａｔｒｉｘ、Ｃｏｄｅ１、ＡｚｔｅｃＣｏｄｅ、インタクタコードなどを挙げることができ、スタック式コードとして、ＰＤＦ４１７、Ｃｏｄｅ４９、Ｃｏｄｅ１６Ｋ、Ｃｏｄａｂｌｏｃｋ、ＳｕｐｅｒＣｏｄｅ、Ｕｌｔｒａ  Ｃｏｄｅ、ＡｚｔｅｃＭｅｔａなどの各種コード（以上のコード名は登録商標を含む）が考えられるが、広く認知されているＱＲコード（登録商標）が好適であるといえる。
【００２０】
前記第２のコード情報１０３は、スクラッチオフ隠蔽層１０４上に設けられており、前記第２のコード情報１０３を読取装置によって読取った後、前記スクラッチオフ隠蔽層１０４を取り除くことによって、図１（Ｂ）に示すように、前記第２のコード情報１０３とは異なる情報を有する第１のコード情報１０２を確認することが可能となる。
【００２１】
ここで、図２に本発明の一態様に係わる情報印刷物の構成を概略的に示す断面図を示しているが、基材１０１としては、紙の他に、ポリカーボネート（ＰＣ）、ポリエチレンテレフタレート（ＰＥＴ）、ポリエチレンナフタレート（ＰＥＮ）、塩化ビニル樹脂、アクリル樹脂、などのプラスチックフィルムあるいはシート類、合成紙などを用途に応じて任意に選定することができる。これら基材の表面には、帯電防止処理、耐摩処理、易接着処理などの各種表面処理が施されていても良く、前記第１のコード情報を裏面から確認できないように、前記基材のコード情報が設けられた面とは反対側の面に酸化チタン、カーボンブラックやアルミニウム微粉末などを含む隠蔽インキ、さらにはアルミニウムなどの金属蒸着膜や金属箔などからなる隠蔽層をいずれかまたは２種以上を複合的に設けてもよく、またこれら隠蔽層を基材中に設けた積層体としても良い。また情報印刷物は、コード情報の読取に影響しない範囲内で任意の画像を設けたり、基材上に着色層を設けたりすることができる。
【００２２】
前記第１のコード情報１０２は、カーボンブラック等の顔料を分散させたインキなどを用いて、オフセット印刷、グラビア印刷、フレキソ印刷、シルクスクリーン印刷などの各種印刷方式やインクジェット方式、転写方式など公知の方式によって設けることができる。これらのインキは、適宜添加剤等が添加されていても良い。
【００２３】
スクラッチオフ隠蔽層は、硬貨や爪などによって擦り、削り取ることが可能な材料構成となっており、具体的な例としては、天然ゴムや塩酸ゴム等のゴム系天然樹脂や、ポリブタジエン、スチレン・ブタジエン共重合体、アクリロニトリル・ブタジエン共重合体、ポリイソプレン、ポリクロロプレン等のジエン系樹脂等の中から選ばれる１種または２種以上の樹脂をバインダーとし、隠蔽性を付与するために、アルミニウム微粉末、黄銅微粉末、銅微粉末等の金属微粉末やそれらの酸化物微粉末、各種顔料類などを混練したものをインキ化して設けることができる。
【００２４】
あるいはスクラッチオフ隠蔽層として、スクラッチオフ性すなわち硬貨や爪等で容易に剥がれ落ちる脆弱特性と隠蔽性を有するスクラッチオフ転写箔を転写することにより、スクラッチオフ隠蔽層を設けても良い。この際、転写箔は、基材上に１層以上の層構成からなる転写層を有しており、前記転写層は樹脂成分としてアクリル樹脂、エポキシ樹脂、ポリエステル樹脂、ウレタン樹脂、塩化ビニル−酢酸ビニル共重合体、セルロース系樹脂、塩素化ポリプロピレン樹脂等の熱可塑性樹脂や天然ゴムや塩酸ゴム等のゴム系天然樹脂や、ポリブタジエン、スチレン・ブタジエン共重合体、アクリロニトリル・ブタジエン共重合体、ポリイソプレン、ポリクロロプレン等のジエン系樹脂などの各種樹脂を１種または２種以上用いることができ、これら樹脂中に脆弱性や隠蔽性等を付与する添加剤として、酸化チタン、炭酸カルシウム、酸化ケイ素、硫酸バリウム、アルミニウム微粉末や黄銅微粉末、銅微粉末などの金属微粉末、カーボンブラックなどの各種顔料を添加することができるが、これらに限定されるものではない。また、隠蔽性付与のために、前記転写層中にアルミニウムなどの金属蒸着膜層を設けてあっても良い。
【００２５】
また前記スクラッチオフ隠蔽層を容易に取り除くことが可能となるように、前記第１のコード情報部を覆うように、樹脂層を設けても良く、その樹脂層としては、具体的には透明または不透明なセルロース、ニトロセルロース、トリアエチルセルロース、ジアセチルセルコース、アセチルブチルセルロース、エチルセルロースなどといったセルロース系樹脂や、紫外線硬化樹脂などに、シリコーン系樹脂などを加えたものであっても良い。
【００２６】
更に前記スクラッチオフ隠蔽層は、染料や顔料等からなる各種色材を用いて、前記情報印刷物の基材の色相と同色に調色されても良く、あるいは前記スクラッチオフ隠蔽層上に隠蔽補助層として、前記情報印刷物の基材の色相と同色の層を設けても良い。この際、基材の色相と色調整された前記スクラッチオフ隠蔽層または隠蔽補助層との色差は、ΔＥが０．５以下であることが望ましく、更に望ましくはΔＥが０．３以下であることが好ましい。なお、色差ΔＥは、色彩色差計により測定することが可能である。
【００２７】
スクラッチオフ隠蔽層または隠蔽補助層層は、少なくとも第１のコード情報の一部を覆い隠すように形成するが、第１のコード情報の全てを覆い隠すように形成することができる。この場合はスクラッチオフ隠蔽層または隠蔽補助層層上にて第２のコードを形成する。なお、第１のコード情報の一部を覆い隠す場合は、露出している第１のコード情報とスクラッチオフ隠蔽層または隠蔽補助層層上に形成したコードを合わせて第２のコードとして用いることができる。
【００２８】
また、このようにして得られた基材と同色系のスクラッチオフ隠蔽層の存在をより目立たなくするため、基材と、同色系のスクラッチオフ隠蔽層または隠蔽補助層とを跨るように地紋印刷を設け、その上に前記第２のコード情報１０３を設けても良い。このようにすることで、スクラッチオフ隠蔽層の存在をより判りにくくすることができる。但し、地紋印刷の線の細さや色の濃さなどを調整することによって、第２のコード情報１０３の読取に影響がでないようにしなければならない。
【００２９】
なお、地紋印刷を設ける場合、地紋印刷が形成されている基材上にスクラッチオフ隠蔽層または隠蔽補助層設け、スクラッチオフ隠蔽層または隠蔽補助層上に基材の地紋印刷と位置合わせをして基材と連続になるよう地紋印刷を設けてもよいが、地紋印刷を形成していない基材上にスクラッチオフ隠蔽層または隠蔽補助層を設け、その後基材とスクラッチオフ隠蔽層または隠蔽補助層に跨るように地紋印刷を設けてもよい。後者の方が位置合わせの手間が省けるという点では好ましい。
【００３０】
前記第２のコード情報１０３は、カーボンブラックなどの顔料を分散させたインキを用いて印刷形成することが可能であり、印刷方法はオフセット印刷、グラビア印刷、フレキソ印刷、シルクスクリーン印刷などの各種印刷法のほか、インクジェット法や転写方式などの公知の手法を用いて形成することが可能である。
【００３１】
また、前記第２のコード情報１０３用のインキは、可視光領域では不可視であり、赤外線領域または紫外線領域で吸収のあるインキを用いても良い。このようなインキを用いることにより、通常のスクラッチオフ隠蔽層は、取り除かれるまで見せてはいけない情報を隠蔽するためのものであることから、不正な第三者には何らかの情報をスクラッチオフ隠
蔽層によって隠蔽していることは理解されても、スクラッチオフ隠蔽層上に情報が隠されていることを気づくことが困難となるため、よりセキュリティ性を高めることが可能となる。
【００３２】
前記可視光領域では不可視であるインキの組成物として、具体的にはメトキシ桂皮酸オクチル、ジエチルアミノヒドロキシベンゾイル安息香酸ヘキシル、ｔ−ブチルメトキシジベンゾイルメタン、オクチルトリアゾン、パラメトキシ桂皮酸２−エチルヘキシルなどの紫外線吸収剤、Ｆｅ2+及び／またはＣｕ2+を含む五二酸化リン（Ｐ2Ｏ5）を主成分とする結晶粉末のような赤外線吸収剤、更には紫外線領域あるいは赤外線領域の光を吸収し、吸収した波長領域とは異なる波長領域に発光ピークを有する蛍光材料、蓄光材料、アップコンバージョン蛍光材料などを用いることができるが、これらに限定されるものではない。
【００３３】
図３は、本発明の一態様に係わる運用例を示す概念図である。すなわち、読取装置として携帯端末２００を用いた場合を示しており、本発明の情報印刷物１００上に設けられた二次元コードを携帯端末２００によって読取りを実施し、インターネットを通じてサーバーにアクセスすることを示している。ここで、携帯端末２００による前記情報印刷物１００上の二次元コード読取りは、まず第２のコード情報１０３を読取りを行い、読取り情報に基づき何らかの処理やサービスを行い、更に前記スクラッチオフ隠蔽層１０４を削り取り、前記第１のコード情報１０２を読取ることで、第１のコード情報に基づく、新たな何らかの処理やサービス、あるいは前記第２のコード情報に基づいて実施されたことに対して、付加的な処理やサービスを実施することが可能となる。
【００３４】
また、前記第２のコード情報と前記第１のコード情報とを組み合わせることで、新たな認証方法を実施することが可能となる。すなわち、まず携帯端末２００による第２のコード情報１０３を読取るステップと、前記スクラッチオフ隠蔽を取除くステップと、前記第１のコード情報を読取るステップとからなり、これら２つのコード情報を読取ることにより、初めて認証が可能となることから、前記第２のコード情報のみ、あるいはスクラッチオフ隠蔽層を取除いた後の第１のコード情報のみをカメラによる撮影やコピー機などによって複製を取られたとしても、その複製情報だけでは、不正に認証を得ることができなくなる。
【００３５】
ここで、読取装置は、カメラや受光部等によりコード情報を読取るコード読取部と、認証した結果を画面表示または音や光等で出力する出力部とを備えていればよく、具体的には、スマートフォンなどの携帯端末や、前述の機能を備える移動端末または固定端末などを挙げることができる。これらの読取装置は、ＰＯＳシステムなどに接続／連動されていても良い。
【００３６】
但し、前記第２のコード情報１０３が、前記可視光領域では不可視であり紫外線領域または赤外線領域で吸収のあるインキを用いる場合には、専用の読取装置が必要となる。
【００３７】
前記専用の読取装置は、所望の紫外線または赤外線を照射するＬＥＤなどの光源と観察すべき対象光を効率良く透過すると同時に外乱光をカットすることのできる光学フィルターとカメラや受光部などを備えたコード情報を読取るコード読取部と、認証した結果を画面表示または音や光で出力する出力部を備えている必要があり、ここで前記カメラや受光部と前記出力部とは通常のコード情報読取装置と兼用であって、必要な時に所望の場所に前記光源や前記光学フィルターを設置可能に設けてあっても良い。
【００３８】
また、コード情報を読取った後の認証については、図３に示すように読取装置に通信部を設け、認証部を備える外部サーバーにコード情報を記録しておき、読取ったコード情報と照合して認証を行っても良いが、読取装置そのものに認証部とコード情報記録部を設け
、読取ったコード情報の認証を読取装置内で行っても良い。
【００３９】
ここで、前記第１のコード情報１０２と前記第２のコード情報１０３を用いた認証手順の例を図４、ならびに図５に示した。
【００４０】
図４で示す認証手順は、読取装置により、前記情報印刷物１００上に設けられた前記第２のコード情報１０３を読取り、認証部にて予め記録されているコード情報との照合を実施し、認証に成功した場合に、前記第１のコード情報１０２の認証作業に進む。すなわち硬貨や爪などによって、前記スクラッチオフ隠蔽層を取り除いた後、前記第１のコード情報１０２を読取り、最終的な照合を実施するというものである。
【００４１】
この場合、前記第２のコード情報１０３の照合時に不具合が発生した場合には、前記第２のコード情報１０３の照合手続き時に、エラーとすることができる。
【００４２】
また他にも、図５で示すように、読取装置により、前記情報印刷物上に設けられた前記第２のコード情報１０３を読取り、続いて硬貨や爪などにより、前記スクラッチオフ隠蔽層を取り除いた後、前記第１のコード情報１０２の読取りを実施する。その後、前記第１のコード情報と前記第２のコード情報について、照合を実施するという照合手段を用いても良い。
【符号の説明】
【００４３】
１００  …  情報印刷物
１０１  …  基材
１０２  …  第１のコード情報
１０３  …  第２のコード情報
１０４  …  スクラッチオフ隠蔽層
２００  …  携帯端末
３００  …  インターネット
４００  …  サーバー
【図１】
0006572670.tif 000002
【図２】
0006572670.tif 000003
【図３】
0006572670.tif 000004
【図４】
0006572670.tif 000005
【図５】
0006572670.tif 000006